(57)【要約】【課題】  強靭な被膜と前記被膜による弾力性を利用して、仮に水濡れにより剥離の端緒部分が破断しやすい状況でも確実に剥離が可能で、最後まで展開することができる水濡れに強い情報通信体の製造方法を提供する。【解決手段】  折り線を介して連接した複数の葉片を折り畳み対向面同士を疑似接着フィルムシートを介して剥離可能に接着した情報通信体であって、折り畳まれて対向する葉片同士の一方の葉片の開封側縁辺において、少なくとも前記対向面側に被覆されている疑似接着フィルムシートが前記開封側縁辺を超えて外方へはみ出し且つ対向葉片の開封側縁辺からはみ出すと共に、もう一方の葉片の開封側縁辺において対向面側に被覆されている疑似接着フィルムシートが前記開封側縁辺を越えて表面側に折返して被覆された情報通信体により解決される。【選択図】図１
2017136812.tif 000002
【特許請求の範囲】
【請求項１】
折り線を介して連接した複数の葉片を折り畳み対向面同士を疑似接着フィルムシートを介して剥離可能に接着した情報通信体であって、折り畳まれて対向する葉片同士の一方の葉片の開封側縁辺において、少なくとも前記対向面側に被覆されている疑似接着フィルムシートが前記開封側縁辺を超えて外方へはみ出し且つ対向葉片の開封側縁辺からはみ出すと共に、もう一方の葉片の開封側縁辺において対向面側に被覆されている疑似接着フィルムシートが前記開封側縁辺を越えて表面側に折返して被覆されていることを特徴とした情報通信体。
【請求項２】
請求項１の情報通信体において、開封側縁辺を超えて外方へはみ出し且つ対向葉片の開封側縁辺からはみ出している疑似接着フィルムシートと、前記疑似接着フィルムシートが被覆している側の葉片の外面に被覆されているフィルムシート又は疑似接着フィルムシートが、開封側縁辺を超えて外方へはみ出し重なり合い接着している情報通信体。
【発明の詳細な説明】
【技術分野】
【０００１】  本発明は複数の葉片を折り畳み、剥離可能に一体化した情報通信体に関する。
詳しくははがき２倍或いは３倍サイズの用紙を折り畳み剥離可能に接着一体化した重ね合わせはがきに代表される情報通信体であって、取り分け雨などによる水濡れに強い情報通信体に関する。
【背景技術】
【０００２】  最近既述の重ね合わせはがきに代表される情報通信体が多用されている。このものは従来のはがき料金で倍以上の情報を受取人に隠蔽状態で郵送できる優れた性能を持つ。然るに情報通信体の本体に紙材を使用するため、例えば雨等による水濡れ状態の際に開封しようとすると、紙材が破壊されて開封することができなくなる欠点があった。せっかくの情報を受取人に伝達できないのでは意味がない。【０００３】  そこで前記水濡れの開封対策として、例えば特開２０１０−１２７６４号公報に開示される水濡れに強い情報通信体がある。このものは例えば情報通信体用用紙の剥離開始部分の両面に印刷インキ等によりベタ印刷を施し、水の浸入を防ぐことにより剥離の端緒となる用紙の破損を防ぎ、剥離開始後はフィルムにより最後まで展開することが可能になるものである。
【先行技術文献】
【特許文献】
【０００４】
【特許文献１】  特開２０１０−１２７６４号公報
【発明の概要】
【発明が解決しようとする課題】
【０００５】  前記引用文献の発明では、印刷インキにより生成される被膜或いは撥水性により剥離の端緒部分を保護するものと考えられる。然るに実際は印刷インキ等（ＵＶ系のインキやトナー系を推奨している）では強靭な被膜は期待できず、印刷部分から水分が侵入し紙繊維が破断され剥離が不能になる。また撥水性に関しても、仮に用紙表面の印刷部分においては外部からの水濡れに強くても、用紙端面や印刷が施されていない部分には水分が侵入し、結局剥離の端緒部分に水が回ってしまい剥離が不能になる。【０００６】  本発明は、前記問題に鑑み、強靭な被膜と前記被膜による弾力性を利用して、仮に水濡れにより剥離の端緒部分が破断しやすい状況でも確実に剥離が可能で、最後まで展開することができる水濡れに強い情報通信体の製造方法を提供するものである。
【課題を解決するための手段】
【０００７】  上記目的を達成するために、本発明の情報通信体は、折り線を介して連接した複数の葉片を折り畳み対向面同士を疑似接着フィルムシートを介して剥離可能に接着した情報通信体であって、折り畳まれて対向する葉片同士の一方の葉片の開封側縁辺において、少なくとも前記対向面側に被覆されている疑似接着フィルムシートが前記開封側縁辺を超えて外方へはみ出し且つ対向葉片の開封側縁辺からはみ出していることを特徴としている。【０００８】  また上記目的を達成するために、本発明の異なる態様の情報通信体は、前記情報通信体において、開封側縁辺を超えて外方へはみ出し且つ対向葉片の開封側縁辺からはみ出している疑似接着フィルムシートと、前記疑似接着フィルムシートが被覆している側の葉片の外面に被覆されているフィルムシート又は疑似接着フィルムシートが、開封側縁辺を超えて外方へはみ出し重なり合い接着していることを特徴としている。【０００９】  本発明の情報通信体を構成する葉片に使用される紙材は、上質紙、マット紙、コート紙等の通常の用紙を使用することができる。そして葉片の表面及び／又は裏面に被覆される疑似接着フィルムシートは、図１３（Ａ）に示すように、例えばポリエチレンテレフタレートや二軸延伸ポリプロピレンを基材６１として、一方の面にＥＶＡやポリエチレン等からなる公知の感熱接着剤層６２を形成すると共に残るもう一方の面に疑似接着層６３を形成したものを好適に使用することができる。【００１０】  また葉片の外面に被覆されるフィルムシートは、図１３（Ｂ）に示すように、例えば前記疑似接着フィルムシートの疑似接着層６３を省略した公知のプリントラミネート用のものを好適に使用することができる。【００１１】  前記疑似接着フィルムシートは、情報通信体を構成する葉片の疑似接着予定面に全面的に被覆される。そして疑似接着層同士が対向するように折り畳み、その後加圧或いは加熱・加圧処理を施すと対向面が剥離可能に一体化する。このようにして製造された情報通信体は郵送中良好に密着しているが受取人が剥離すると前記疑似接着層同士の間から容易に剥離することができる。【００１２】  前記疑似接着フィルムシートの厚さは１０〜５０μｍのものを使用することができるが、その中でも２５〜３５μｍのものを好適に使用することができる。前記厚みは疑似接着フィルムシートにおいては、図１３（Ａ）を例にすると基材６１と感熱接着剤層６２及び疑似接着層６３の合計厚さである。またフィルムシートにおいては、図１３（Ｂ）を例にすると基材５１と感熱接着剤層５２の合計厚さである。この程度の厚みがあれば、剥離開始部分を摘まむことができるが、特に２枚貼り合わせると葉片の腰が強くなるためより安定して摘まむことができ剥離を容易にする。そして前記各種フィルムシートに被覆された葉片は補強され確実に破損から保護される。
【発明の効果】
【００１３】  本発明の情報通信体によれば、疑似接着フィルムシート或いはフィルムシートが剥離開始部分を超えて外方に渡り被覆されている。従って剥離開始部分の紙材が補強されているため、仮に情報通信体が水濡れを起こしていても、開封に際して既述の各種フィルムシートにリードされ対向する葉片同士は破損されることなく確実に剥離展開される。また各種フィルムシートが剥離開始部分を越えて外方へはみ出しているためその部分を簡単に指で摘まむことができ、その後段差部分から容易に対向葉片同士を剥離して展開することが可能である。
【図面の簡単な説明】
【００１４】
【図１】（Ａ）は実施例１の二つ折りはがきＪ１の表面図、（Ｂ）は裏面図、（Ｃ）は（Ａ）におけるＩ−Ｉ線断面図である。
【図２】（Ａ）は二つ折りはがきＪ１を剥離して平面に展開した状態の表面図、（Ｂ）は裏面図である。
【図３】二つ折りはがきＪ１の開封状態を示す斜視図である。
【図４】（Ａ）は実施例２の二つ折りはがきＪ２の表面図、（Ｂ）は裏面図、（Ｃ）は（Ａ）におけるＩＩ−ＩＩ線断面図である。
【図５】（Ａ）は実施例３の二つ折りはがきＪ３の表面図、（Ｂ）は裏面図、（Ｃ）は（Ａ）におけるＩＩＩ−ＩＩＩ線断面図である。
【図６】（Ａ）は二つ折りはがきＪ３を剥離して平面に展開した状態の表面図、（Ｂ）は裏面図である。
【図７】（Ａ）は実施例４の三つ折りはがきＪ４の表面図、（Ｂ）は裏面図、（Ｃ）は（Ａ）におけるＩＶ−ＩＶ線断面図である。
【図８】（Ａ）は三つ折りはがきＪ４を剥離して平面に展開した状態の表面図、（Ｂ）は裏面図である。
【図９】三つ折りはがきＪ４の開封状態を示す斜視図である。
【図１０】（Ａ）は実施例５の三つ折りはがきＪ５の表面図、（Ｂ）は裏面図、（Ｃ）は（Ａ）におけるＶ−Ｖ線断面図である。
【図１１】（Ａ）は三つ折りはがきＪ５を剥離して平面に展開した状態の表面図、（Ｂ）は裏面図である。
【図１２】（Ａ）及び（Ｂ）は三つ折りはがきの変形例の断面図である。
【図１３】（Ａ）は「疑似接着フィルムシートＧの拡大断面図、（Ｂ）はフィルムシートＦの拡大断面図である。
【図１４】（Ａ）及び（Ｂ）は変形三つ折りはがきの断面図である。
【発明を実施するための最良の形態】
【００１５】  以下本発明を、図面に沿って分かりやすく説明する。
［実施例１：二つ折りはがきＪ１］
図１（Ａ）、（Ｂ）及び（Ｃ）に示すように、本実施例の二つ折りはがきＪ１は、折り線３で連接されている第一葉片１及び第一葉片１より幅の狭い第二葉片２が前記折り線３から折り畳まれると共に、疑似接着フィルムシートＧを介して剥離可能に接着している。そして前記疑似接着シートＧは第一葉片１の開封側縁辺から外方へはみ出し、第一葉片１の表面側縁辺に沿って被覆されたフィルムシートＦ（疑似接着フィルムシートＧでも構わない）と貼り合わされている。また第二葉片２の開封側縁辺は、前記疑似接着フィルムシートＧが折り返されて補強されている。【００１６】  この二つ折りハガキＪ１は第一葉片１の開封側縁辺から外方へはみ出した疑似接着フィルムシートＧ及びＦと、対向する第二葉片２の折り返された疑似接着フィルムシートＧ部分を摘まんで図３に示すように開封し、最終的に図２（Ａ）及び（Ｂ）に示すように平面に展開することができる。
そして受取人は、図２（Ｂ）に示す内面に隠蔽されていた表示されていない個人情報を含む各種情報を、透明或いは半透明の疑似接着フィルムシートＧを透して視認することができる。【００１７】［実施例２：二つ折りはがきＪ２］
図４（Ａ）、（Ｂ）及び（Ｃ）に示すように本実施例の二つ折りはがきＪ２は、実施例１の二つ折りハガキＪ１と異なり、第一葉片１１より第二葉片１２の方の幅が広い。しかし第一葉片１１の開封側縁辺から外方へはみ出した疑似接着フィルムシートＧは、第一葉片１１の表面側縁辺に沿って被覆されたフィルムシートＦ（疑似接着フィルムシートＧでも構わない）と貼り合わされ状態で第二葉片１２の開封側縁辺の外方へ突出している。なお第二葉片１２の開封側縁辺は、実施例１と同様に疑似接着フィルムシートＧが折り返されて補強されている。【００１８】  この二つ折りハガキＪ２は第一葉片１１の開封側縁辺から外方へはみ出した疑似接着フィルムシートＧ及びＦと、対向する第二葉片１２の折り返された疑似接着フィルムシートＧ部分を摘まんで図３に示すように開封し、最終的に前記実施例１と同様平面に展開することができる。そして受取人は内面に隠蔽されていた個人情報を含む各種情報を、透明或いは半透明の疑似接着フィルムシートＧを透して視認することができる。【００１９】［実施例３：二つ折りはがきＪ３］
図５（Ａ）、（Ｂ）及び（Ｃ）に示すように本実施例の二つ折りはがきＪ３は、折り線２３で連接された第一葉片２１及び第二葉片２２の表裏全面が疑似接着フィルムシートＧにより被覆されている。そしてこの二つ折りはがきＪ３は、第一葉片２１の開封側縁辺から外方へはみ出した疑似接着フィルムシートＧと、対向する第二葉片２２（疑似接着フィルムシートＧにより全面が被覆されている）を摘まんで開封する。【００２０】［実施例４：三つ折りはがきＪ４］
図７（Ａ）、（Ｂ）及び（Ｃ）に示すように、本実施例の三つ折りはがきＪ４は、折り線３４で連接されている第一葉片３１と第一葉片３１より幅の広い第二葉片３２、そして折り線３４で連接されている第二葉片３２と第二葉片３２より幅の狭い第三葉片３３が、前記折り線３４及び３５から断面Ｚ字状に折り畳まれると共に対向面間の疑似接着フィルムシートＧを介して剥離可能に接着している。【００２１】  そして前記疑似接着シートＧは第一葉片３１と第二葉片３２及び第二葉片３２と第三葉片３３の開封側縁辺から外方へはみ出し、第一葉片３１表出面及び第三葉片３３表出面のそれぞれ第二葉片３２との開封側縁辺に沿って被覆されたフィルムシートＦ（疑似接着フィルムシートＧでも構わない）と貼り合わされている。【００２２】  また第一葉片３１の折り線３４側の縁辺に沿って、第二葉片３２と第三葉片３３の対向面を被覆する疑似接着フィルムシートＧが、前記折り線３４を超えて折り返される状態に被覆されている。同様に第三葉片３３の折り線３５側の縁辺に沿って、第一葉片３１と第二葉片３２の対向面を被覆する疑似接着フィルムシートＧが、前記折り線３５を超えて折り返される状態に被覆されている。【００２３】  この三つ折りハガキＪ４は第一葉片３１の第二葉片３２との開封側縁辺から外方へはみ出した疑似接着フィルムシートＧ及びＦと、対向する第二葉片３２及び連接する第三葉片３３へ折り返され被覆された疑似接着フィルムシートＧを摘まんで開封し、同様に第三葉片３３の第二葉片３２との開封側縁辺から外方へはみ出した疑似接着フィルムシートＧ及びＦと、対向する第二葉片３２及び連接する第一葉片３１へ折り返され被覆された疑似接着フィルムシートＧを摘まんで図９に示すように開封し、最終的に図８（Ａ）及び（Ｂ）に示すように平面に展開することができる。【００２４】  そして受取人は、図８（Ａ）の第二葉片３２と第三葉片３３及び（Ｂ）に示す第二葉片３２と第一葉片３１の各対向面間に隠蔽されていた、図中表示されていない個人情報を含む各種情報を透明或いは半透明の疑似接着フィルムシートＧを透して視認することができる。【００２５】［実施例５：三つ折りはがきＪ５］
図１０（Ａ）、（Ｂ）及び（Ｃ）に示すように、本実施例の三つ折りはがきＪ５は、折り線４４で連接されている第一葉片４１と第一葉片４１より幅の広い第二葉片４２、及び折り線４５で連接されている第二葉片４２と第二葉片４２より幅の狭い第三葉片４３が、前記折り線４４及び４５から断面Ｚ字状に折り畳まれると共に対向面間の疑似接着フィルムシートＧを介して剥離可能に接着している。【００２６】  そして前記疑似接着シートＧは図１０（Ｃ）に示すように、各葉片の表裏面全面に被覆され、第一葉片４１及び第三葉片４３の開封側縁辺から外方へはみ出すと共に、第二葉片４２の両側端からそれぞれはみ出した状態になっている。【００２７】  この三つ折りハガキＪ５は第一葉片４１の開封側縁辺から外方へはみ出した疑似接着フィルムシートＧと、対向する第二葉片４２（疑似接着フィルムシートにより被覆されている）を摘まんで開封し、同様に第三葉片４３の開封側縁辺から外方へはみ出した疑似接着フィルムシートＧと、対向する第二葉片４２を摘まんで開封し、最終的に図１１（Ａ）及び（Ｂ）に示すように平面に展開することができる。【００２８】  そして受取人は、図１１（Ａ）の第二葉片４２と第三葉片４３及び（Ｂ）に示す第二葉片４２と第一葉片４１の各対向面間に隠蔽されていた、図中表示されていない個人情報を含む各種情報を透明或いは半透明の疑似接着フィルムシートＧを透して視認することができる。【００２９】［実施例６：変形三つ折りはがき］
図１２（Ａ）は実施例４の三つ折りはがきＪ４において、第二葉片５２と第三葉片５３の対向面間を完全接着剤層Ｋ等により剥離不能に完全接着したものである。この者は第二葉片５２と第三葉片５３が一体になり一枚となるため、最終的に第一葉片５１と第二葉片５２の間から見開き状に開封されることになる。また図１２（Ｂ）に示すように第三葉片５３の幅を狭くして、剥離に利用する摘み部分だけを形成するようにしても構わない。【００３０】  なお前記完全接着剤層Ｋは、対向する少なくとも一方の葉片に予め塗布しておいても良いが、感熱接着剤層を基材の両面に形成した両面接着性のフィルムシートを挟み込み対向面同士を接着しても構わない。また表面にヒート処理を施したプリントラミネート用のフィルムシート（ヒート処理層を対向させて加熱・加圧処理を施すと完全接着する）を完全接着予定面に被覆しておいて疑似接着フィルムシートＧの疑似接着の実行処理と同時に完全接着するようにしても構わない。【００３１】  本発明は、上記実施例に限られるものではない。
例えば、剥離開始の端部からはみ出した各種フィルムは、必ずしも端面を一致させる必要はなく、ずれて何れかがはみ出していても構わない。
また表出面側の開封側端部に被覆されるフィルムシートＦは省略しても構わない。例えば実施例１の二つ折りはがきＪ１の場合、図１４（Ａ）の断面図となり、実施例４の三つ折りはがきＪ４の場合図１４（Ｂ）に示す断面図になる。このように少なくとも対向面間に被覆された疑似接着フィルムシートＧが、何れの葉片の縁辺からもはみ出した状態であれば開封することが可能である。
【符号の説明】
【００３２】  Ｊ１、Ｊ２、Ｊ３  二つ折りはがき
Ｊ４、Ｊ５  三つ折りはがき
Ｇ  疑似接着フィルムシート
Ｆ  フィルムシート
Ｋ  完全接着剤層
１、２、１１，１２、２１、２２、３１、３２、３３、４１、４２、４３、５１、５２、５３  葉片
３、１３、２３、３４、３５、４４、４５、５４、５５  折り線
６１  基材
６２  感熱接着剤層
６３  疑似接着層
【図１】
2017136812.tif 000003
【図２】
2017136812.tif 000004
【図３】
2017136812.tif 000005
【図４】
2017136812.tif 000006
【図５】
2017136812.tif 000007
【図６】
2017136812.tif 000008
【図７】
2017136812.tif 000009
【図８】
2017136812.tif 000010
【図９】
2017136812.tif 000011
【図１０】
2017136812.tif 000012
【図１１】
2017136812.tif 000013
【図１２】
2017136812.tif 000014
【図１３】
2017136812.tif 000015
【図１４】
2017136812.tif 000016